(57)【特許請求の範囲】
【請求項１】
熱源から熱の供給を受けて温水を発生させる熱交換器と、前記熱交換器と配管接続される放熱器と、前記熱交換器で発生させた温水を前記放熱器に搬送するポンプと、前記放熱器への温水を遮断する温水弁と、前記温水弁を開けて前記ポンプを回して前記放熱器へ温水を供給して暖房運転を開始する運転スイッチを有するリモコンと、省エネモード解除スイッチを有する常時通電のリモコンと、前記リモコンの運転スイッチからの信号を受け前記熱源やポンプを制御すると共に前記リモコンに電力を供給する制御部とを備え、一定期間以上暖房運転が未使用の場合は、前記制御部は、前記暖房を開始する運転スイッチを有するリモコンへの電力供給を停止し、省エネモード解除スイッチを押せば前記暖房を開始する運転スイッチを有するリモコンへの電力供給を復活させる温水暖房機。
【請求項２】
前記放熱器を並列に複数有し、前記放熱器に対応したリモコンと、前記リモコンには対応した放熱器の暖房を開始する運転スイッチとを備え、前記複数の放熱器の中に一定期間以上暖房運転が未使用のものがある場合は、未使用の放熱器に対応したリモコンへの電力供給を停止することを特徴とする請求項１に記載の温水暖房機。
【請求項３】
暖房運転に利用される燃料の消費量が一定期間を超えて一定量を下回った場合は、制御部は前記常時通電のリモコン以外のリモコンへの電力供給を停止することを特徴とする請求項１または２に記載の温水暖房機。
【発明の詳細な説明】
【０００１】
【発明の属する技術分野】
本発明は、特に設備型暖房機器すなわちビルトイン型暖房機器の夏場の省電力機能に関するものである。
【０００２】
【従来の技術】
従来この種の温水暖房機は、暖房のオフシーズンとなる夏場でも常時全てのリモコンに通電されており、いつでもリモコンからの暖房運転操作ができるのが一般的であった。この温水暖房機は図７に示すように、熱源機１はバーナー１ａと熱交換器１ｂとタンク１ｃとポンプ１ｄと制御部１ｅと温水弁１ｆ、１ｇ、１ｈを備える。放熱器２がある部屋に設置されているリモコン３の運転スイッチ３ａが操作されると、制御部１ｅはポンプ１ｄを回し、バーナー１ａに点火し、温水弁１ｆを開けて温水を放熱器２へ搬送する。また、放熱器４がある部屋に設置されているリモコン５が操作されても、同様に制御部１ｅはポンプ１ｄを回し、バーナーに点火し、温水弁１ｇを開けて温水を放熱器４へ搬送する。また、放熱器６がある部屋に設置されているリモコン７が操作されても、同様に制御部１ｅはポンプ１ｄを回し、バーナーに点火し、温水弁１ｈを開けて温水を放熱器６へ搬送する。すなわち、リモコンは３、５、７のように複数個付いていて、どの部屋のリモコンからでも暖房運転ができるようになっていた。
【０００３】
【発明が解決しようとする課題】
しかしながら、従来の温水暖房機では、暖房のオフシーズンの夏場でも常に運転待機状態なので、リモコンには常時通電されており、待機電力が大きく、電気供給が無駄であるという課題を有していた。
【０００４】
【課題を解決するための手段】
本発明の温水暖房機においては、それぞれのリモコンがその運転状態を監視して一定期間以上暖房運転が未使用の場合は通信信号にて省エネモードＯＮ信号を前記制御部に送信し、前記制御部が前記信号を受信すると該当のリモコンへの電源供給を切断するようにしたものである。
【０００５】
上記発明によると、リモコンでの消費電力をなくすことができるため、暖房のオフシーズンの待機電力を削減することができ、電気供給の無駄をなくすことができる。
【０００６】
【発明の実施の形態】
第１の発明の温水暖房機は、熱源から熱の供給を受けて温水を発生させる熱交換器と、前記熱交換器と配管接続される放熱器と、前記熱交換器で発生させた温水を前記放熱器に搬送するポンプと、前記放熱器への温水を遮断する温水弁と、前記温水弁を開けて前記ポンプを回して前記放熱器へ温水を供給して暖房運転を開始する運転スイッチを有するリモコンと、省エネモード解除スイッチを有する常時通電のリモコンと、前記リモコンの運転スイッチからの信号を受け前記熱源やポンプを制御すると共に前記リモコンに電力を供給する制御部とを備え、一定期間以上暖房運転が未使用の場合は、前記制御部は、前記暖房を開始する運転スイッチを有するリモコンへの電力供給を停止し、省エネモード解除スイッチを押せば前記暖房を開始する運転スイッチを有するリモコンへの電力供給を復活させるものである。
【０００７】
そして、一つのリモコンでその運転状態を監視して、一定期間以上暖房運転が未使用の場合は、このリモコンは通信信号にて省エネモードＯＮ信号を制御部に送信し、これを受けて制御部は、制御部内にあるリモコン電源供給回路内の省エネモードＯＮ信号を受信したリモコンの電源供給を切断して、リモコンでの消費電力をなくすことができるため、オフシーズン（暖房運転未使用時）の待機電力を削減することができる。
また、省エネモード解除スイッチを押せば、リモコンの電源供給を復活させるときは、熱源機のところへ行かなくとも暖房運転を開始する運転スイッチを有するリモコンの電源供給を復活させることができる。
【００１０】
また、第２の発明の温水暖房機は、特に第１の発明において、前記放熱器を並列に複数有し、前記放熱器に対応したリモコンと、前記リモコンには対応した放熱器の暖房を開始する運転スイッチとを備え、前記複数の放熱器の中に一定期間以上暖房運転が未使用のものがある場合は、未使用の放熱器に対応したリモコンへの電力供給を停止することにより、制御部内のマイコンがリモコンの暖房運転の状態を監視して一定期間以上暖房運転が未使用の場合は、制御部は、制御部内にあるリモコン電源供給回路内のリモコンの電源供給を切断して、リモコンでの消費電力をなくすことができるため、オフシーズンの待機電力を削減することができる。
【００１３】
また、第３の発明の温水暖房機は、特に第１または第２の発明において、暖房運転に利用される燃料の消費量が一定期間を超えて一定量を下回った場合は、制御部は前記常時通電のリモコン以外のリモコンへの電力供給を停止することにより、熱源機の制御部内にはマイクロコンピュータが搭載されており、制御部内のマイコンが暖房運転に使用される燃料の消費量を監視し、一定期間以上ある一定量を下回った場合、制御部はすべてのリモコンの電源供給を切断して、リモコンでの消費電力をなくすことができるため、オフシーズンの待機電力を削減することができる。
【００１６】
【実施例】
以下、本発明の実施例について図面を用いて説明する。
【００１７】
（実施例１）
図１は本発明の請求項１記載に係る実施例１の温水暖房機の構成図である。
【００１８】
図１において、１は熱源機であり、構成要素としては１ａはバーナー、１ｂは熱交換器、１ｃはタンク、１ｄはポンプ、１ｅは制御部、１ｆ、１ｇ、１ｈは温水弁、１ｉ、１ｊ、１ｋはリモコン電源供給回路、１ｌは省エネモード解除スイッチである。２は放熱器であり、３はリモコン、３ａは運転スイッチである。放熱器２のある部屋にリモコン３が設置されている。同様に放熱器４のある部屋にはリモコン５があり、放熱器６の設置されている部屋にはリモコン７がある。
【００１９】
次に動作作用について説明すると、リモコン３の運転スイッチ３ａが操作されると、制御部１ｅはポンプ１ｄを回し、バーナー１ａに点火し、温水弁１ｆを開けて温水を放熱器２へ搬送する。また、リモコン５が操作されても、同様に制御部１ｅはポンプ１ｄを回し、バーナーに点火し、温水弁１ｇを開けて温水を放熱器４へ搬送する。また、リモコン７が操作されても、同様に制御部１ｅはポンプ１ｄを回し、バーナーに点火し、温水弁１ｈを開けて温水を放熱器６へ搬送する。すなわち、リモコンは３、５、７のように複数個付いていて、どの部屋のリモコンからでも暖房運転ができるようになっている。
【００２０】
リモコン３、５、７は各々の暖房の運転状態を監視し、たとえば、暖房を使用しない季節になったり、または放熱器２の設置されている部屋がほとんど使用されない場合は、一定期間以上暖房運転が未使用であると判断し、リモコン３は省エネモードＯＮ信号を制御部１ｅへ信号伝送し、これを受けて制御部１ｅは、制御部１ｅ内にあるリモコン電源供給回路１ｉを切断して、省エネモードＯＮ信号を送信したリモコン３の電源供給を切り、リモコン３での消費電力をなくすことができる。同様なことがリモコン５でもリモコン７でも可能なため、暖房のオフシーズンの待機電力を削減することができ、また、放熱器は設置されているがほとんど使用されない場合でも電気供給の無駄をなくすことができる。また、制御部１ｅ内にある省エネモード解除スイッチ１ｌを押せば、すべてのリモコン電源供給回路１ｉ、１ｊ、１ｋを接続し、リモコン３、５、７の電源を復活させることができ、すべてのリモコンでの運転操作が可能となる。
【００２１】
（実施例２）
図２は本発明の請求項２記載に係る実施例２の温水暖房機の構成図である。
【００２２】
図２において、熱源機１内の制御部１ｅには省エネモード解除スイッチがなく、常時通電のリモコン７に省エネモード解除スイッチ７ｃが設けられている。リモコン７は、常に動作可能状態である。冬場が近づき、リモコン３とリモコン５の電源を復帰させる場合は、省エネモード解除スイッチ７ｃを操作すれば、リモコン７は省エネモードＯＦＦ信号を制御部１ｅへ信号伝送し、これを受けて制御部１ｅは、すべてのリモコン電源供給回路１ｉ、１ｊを接続し、リモコン３、５の電源を復活させることができ、すべてのリモコンでの運転操作が可能となる。
【００２３】
なお、この場合、リモコン７には暖房の運転スイッチはなくてもよく、したがってリモコン７の操作により動作する放熱器６もなくてもかまわない。
【００２４】
（実施例３）
図３は本発明の請求項３記載に係る実施例３の温水暖房機の構成図である。
【００２５】
図３において、すべてのリモコン３、５、７には、運転スイッチが設けられている。熱源機１内の制御部１ｅにはマイクロコンピュータ（以下、マイコンと呼ぶ）１ｍが搭載されており、リモコン電源供給回路１ｉ、１ｊ、１ｋと省エネモード解除スイッチ１ｌとが設けられている。
【００２６】
マイコン１ｍでリモコン３、５、７での各々の暖房運転状態を監視して、たとえば、リモコン３で一定期間以上暖房運転が未使用の場合は、それに対応した制御部１ｅ内にあるリモコン電源供給回路１ｉの電源供給を切断して、リモコン３での消費電力をなくすことができるため、オフシーズンの待機電力を削減することができる。また、放熱器は設置されているが冬場でも使用しない場合にもその消費電力を削減することができる。なおこの場合は個々にリモコンの運転状態を監視し、個々にそのリモコン電源供給回路の電源供給を切断してもよいし、或いは、一括で暖房運転状態を監視し、一度に全てのリモコン電源供給回路の電源供給を切断してもよい。また、前記省エネモード解除スイッチを押せばすべてのリモコンの電源供給を復活させることができ、リモコンでの運転操作が可能となる。
【００２７】
（実施例４）
図４は本発明の請求項４記載に係る実施例４の温水暖房機の構成図である。
【００２８】
図４において、熱源機１内の制御部１ｅには省エネモード解除スイッチがなく、常時通電しているリモコン７に省エネモード解除スイッチ７ｃが設けられている。
【００２９】
リモコン７だけは電源供給され続け、常に動作可能状態である。冬場が近づき、リモコン３とリモコン５の電源を復帰させる場合は、省エネモード解除スイッチ７ｃを操作すれば、リモコン７は省エネ解除信号を制御部１ｅへ信号伝送し、これを受けて制御部１ｅは、すべてのリモコン電源供給回路１ｉ、１ｊを接続し、リモコン３、５の電源を復活させることができ、すべてのリモコンでの運転操作が可能となる。
【００３０】
なお、この場合、リモコン７には暖房の運転スイッチはなくてもよく、したがってリモコン７の操作により動作する放熱器６もなくてもかまわない。
【００３１】
（実施例５）
図５は本発明の請求項５記載に係る実施例５の温水暖房機の構成図である。
【００３２】
図５において、制御部１ｅにはマイコン１ｍが搭載されており、リモコン電源供給回路１ｉ、１ｊ、１ｋと省エネモード解除スイッチ１ｌとが設けられている。
【００３３】
マイコン１ｍで常に暖房運転に使用される燃料の消費量を監視し、たとえば、一定期間以上一定量を下回った場合は、制御部１ｅないにある全てのリモコン電源供給回路１ｉ、１ｊ、１ｋを切断し、リモコン３、５、７の電源供給を切り、リモコンでの消費電力をなくすことができるため、オフシーズンの待機電力を削減することができる。また、省エネモード解除スイッチ１ｌを押せば、制御部１ｅは、すべてのリモコン電源供給回路１ｉ、１ｊ、１ｋを接続し、リモコン３、５、７の電源供給を復活させることができ、リモコンでの運転操作が可能となる。
【００３４】
なお、燃料の消費量は一定期間内で暖房燃焼している時間の総和におきかえて計測してもかまわない。
【００３５】
（実施例６）
図６は本発明の請求項６記載に係る実施例６の温水暖房機の構成図である。
【００３６】
図６において、熱源機１内の制御部１ｅには省エネモード解除スイッチがなく、常時通電しているリモコン７に省エネモード解除スイッチ７ｃが設けられている。
【００３７】
リモコン７だけは電源供給され続け、常に動作可能状態である。冬場が近づき、リモコン３とリモコン５の電源を復帰させる場合は、省エネモード解除スイッチ７ｃを操作すれば、リモコン７は省エネモードＯＦＦ信号を制御部１ｅへ信号伝送し、これを受けて制御部１ｅは、すべてのリモコン電源供給回路１ｉ、１ｊを接続し、リモコン３、５の電源を復活させることができ、すべてのリモコンでの運転操作が可能となる。
【００３８】
なお、この場合、リモコン７には暖房の運転スイッチはなくてもよく、したがってリモコン７の操作により動作する放熱器６もなくてもかまわない。
【００３９】
【発明の効果】
以上のように、夏場の暖房運転を使用しないオフシーズンのリモコンの電源供給を切断しているので、待機電力を削減でき、電気供給の無駄をなくすという効果を有する。また、熱源機に省エネモード解除スイッチを有するので、この省エネモード解除スイッチを操作すれば、リモコンの電源を復帰できる。さらに、夏場になると自動的にリモコンの電源供給を切断できるので、使用者が意識せずとも省エネできる。
また、冬場になっての復帰時はリモコンで操作できるので、復帰操作が容易になり、夏場になると自動的にリモコンの電源供給を切断できるので、待機電力を削減でき電気供給の無駄をなくすという有利な効果を有する。
【図面の簡単な説明】
【図１】本発明の実施例１の温水暖房機の構成図
【図２】本発明の実施例２の温水暖房機の構成図
【図３】本発明の実施例３の温水暖房機の構成図
【図４】本発明の実施例４の温水暖房機の構成図
【図５】本発明の実施例５の温水暖房機の構成図
【図６】本発明の実施例６の温水暖房機の構成図
【図７】従来の温水暖房機の構成図
【符号の説明】
１  熱源機
１ｉ  リモコン電源供給回路
１ｌ  省エネモード解除スイッチ
２  放熱器
３  リモコン
３ａ  運転スイッチ
【図１】
0004385471.tif 000002
【図２】
0004385471.tif 000003
【図３】
0004385471.tif 000004
【図４】
0004385471.tif 000005
【図５】
0004385471.tif 000006
【図６】
0004385471.tif 000007
【図７】
0004385471.tif 000008